(57)【特許請求の範囲】
【請求項１】
全体として平板状に形成され、その一部に嵌合穴が形成された長板部（４）が突出する本体金具（ＰＴ）と、前記嵌合穴に受け入れられる略円柱形状の突起が形成され、かつ、前記長板部を挟んで前記本体金具と組合され、前記長板部に直交する切断面が、少なくともその一部で略円弧状の輪郭線となる補助部材（ＳＵＰ）とを備えて構成された接合金具。
【請求項２】
前記本体金具と前記補助部材とは、製造工場または使用現場で組み付けられる請求項１に記載の接合金具。
【請求項３】
前記補助部材は、略円柱状の本体部から２つの略半円部が突出しており、その間に前記長板部を受け入れるよう構成されている請求項１又は２に記載の接合金具。
【請求項４】
前記突起は、前記嵌合穴を通過可能に形成されており、前記補助部材と前記本体金具とを組み合わせた後、前記突出部の先端側を前記嵌合穴より大きくなるよう加圧変形させている請求項１又は２に記載の接合金具。
【発明の詳細な説明】
【０００１】
【発明の属する技術分野】
本発明は、木造建築物に好適に使用される接合金具に関し、特に、本体金具と補助部材とが別々に製造され、これらが製造工場又は建築現場で一体化されて使用される接合金具に関する。
【０００２】
【従来の技術】
本発明者は先に、一本の丸棒の一部を加圧変形させて矩形板状の本体部を形成し、図７に示すような接合金具を製造する方法を提案している（特願２０００−３５９８９９号）。この方法によれば、鉄製の板状部と丸棒部とが、溶接作業を経ることなく一体的に形成されるので、この接合金具で接合される２つの木製部材は、極めて強固な取付け強度を発揮するという利点がある。また、突出する丸棒部を有するので、例えば、これを土台に形成された垂直円柱穴に挿入するだけで、接合金具を正しく垂直方向に位置決めすることができ、建築現場での取付け作業も極めて容易となる。
【０００３】
しかしながら、木造建築物の構造体の中には、上記の製法による接合金具ほどの取付け強度が必要でない場合もあり、そのような場合には、より安価に同様の効果を発揮する接合金具が望まれる。すなわち、平板状の本体部から丸棒部を突出させて、その丸棒部を木製構造物に形成した円柱穴に挿入することで確実に位置決めができる簡易な接合金具が望まれる。
【０００４】
【発明が解決しようとする課題】
本発明は、上記の問題点に着目してなされたものであって、現場での取付け作業が簡単で、しかも安価に実現できる接合金具を提供することを課題とする。
【０００５】
【課題を解決するための手段】
上記の課題を解決するために、本発明に係る接合金具は、全体として平板状に形成され、その一部に嵌合穴が形成された長板部が突出する本体金具と、前記嵌合穴に受け入れられる略円柱形状の突起が形成され、かつ、前記長板部を挟んで前記本体金具と組合され、前記長板部に直交する切断面が、少なくともその一部において略円弧状の輪郭線となる補助部材とを備えている。
【０００６】
本発明において、略円弧状の輪郭線とは、真円形や楕円形の輪郭線に限らず、長方形の両端が半円形となるような輪郭線も含む概念である。何れにしても、このような接合金具を取付ける対象物には、上記した輪郭線に対応する凹穴が形成されるのが好適である。なお、接合金具の取付け対象物は、土台や柱などの木造建築物の構造体であるが一般的である。
【０００７】
本発明において、補助部材の輪郭線は、もともと略円弧状の輪郭線を有しているものでも良いし、加圧変形されて略円弧状の輪郭線を有するのでも良い。なお、後者の場合には、もともと略円弧状の輪郭線を有する部分と、加圧変形されて略円弧状の輪郭線を有する部分とに区分されるのが一般的である。なお、このような場合、２つの輪郭線は、同一の曲率半径と同一の曲率中心を有するのが好適である。
【０００８】
【発明の実施の形態】
以下、本発明を実施例に基づいて本発明の実施の形態を詳細に説明する。図１は、第１実施例に係る接合金具ＥＱ１の組み立て方法を図示した斜視図である。図示の通り、この接合金具ＥＱ１は、本体金具ＰＴに補助部材ＳＵＰを組み合わせて完成される。図３は、完成させた接合金具ＥＱ１の下部を、土台１に設けた円柱穴に挿入した後、ピン部材ＰＮ…ＰＮを挿入して土台１と柱２とを固定した状態を示している。
【０００９】
先ず、本体金具ＰＴについて図１を参照しつつ説明する。本体金具ＰＴは、矩形板部３と、矩形板部３から下方に延びる長板部４とで構成されている。そして、矩形板部３には、その上方左右の位置で開口する左右取付け穴５ａ，５ｂと、左右取付け穴５ａ，５ｂの中央よりやや下方位置で開口する中央取付け穴６とが各同一の開口径で設けられている。
【００１０】
図３に示すように、３つの取付け穴５ａ，５ｂ，６には、２本又は３本のピン部材ＰＮを挿入するようになっている。使用するピン部材ＰＮの個数は、接合金具ＥＱ１の取付け強度によって選択可能であり、取付強度を高めるためには、左右取付け穴３ａ，３ｂにピン部材ＰＮ，ＰＮを挿入するが、あまり取付強度を必要としない場合には、中央取付け穴６にのみピン部材ＰＮを挿入するようになっている。
【００１１】
図１に示すように、本体金具ＰＴの長板部４には、ピン部材ＰＮを挿入するための上下取付け穴７ａ，７ｂと、補助部材ＳＵＰを係止するための嵌合穴８とが設けられている。図示の通り、最上部に嵌合穴８を位置させ、その下に、上下取付け穴７ａ，７ｂを位置させている。
【００１２】
ピン部材ＰＮの使用個数は、上記した場合と同様、接合金具ＥＱの取付け強度によって選択可能であり、取付強度を高めるためには、上下取付け穴７ａ，７ｂにピン部材ＰＮ，ＰＮを挿入するが、それほど取付強度を必要としない場合には、一方の取付け穴７にのみピン部材ＰＮを挿入する。
【００１３】
図２に示すように、補助部材ＳＵＰの全体形状は、中央に軸方向の切込溝９を備えた略円柱形状であり、可撓性を有する合成樹脂材や金属材によって一体成形されて構成される。より詳細には、補助部材ＳＵＰは、円柱状の基端部１０と、基端部１０から上方に延びる２つの半円柱部１１ａ，１１ｂとで構成されている。
【００１４】
ここで、第一と第二の半円柱部１１ａ，１１ｂの間に形成される切込溝９の長さＬは、長板部４の長さＬに対応している。また、切込溝９の縦幅Ｗは、本体金具ＰＴの板厚Ｗに対応し、切込溝９の横幅Ｔは、長板部４の横幅Ｔに対応している（図１、図２参照）。
【００１５】
また、半円柱部１１ａ，１１ｂには、長板部４の上下取付け穴７ａ，７ｂの位置に対応して、上下取付け穴７ａ，７ｂよりやや大きい２つの貫通穴１２ａ，１２ｂが形成されている。図示の通り、この貫通穴１２ａ，１２ｂは、切込溝９に直交して、第一の半円柱部１１ａと第二の半円柱部１１ｂを貫通して形成されている。
【００１６】
また、第二の半円柱部１１ｂには、長板部４に形成された嵌合穴８の位置に対応して、略円柱突起１３が形成されている。なお、この略円柱突起１３は、嵌合穴８よりやや小さく、また嵌合穴８の深さより浅く形成されている。
【００１７】
先に説明したように、この補助部材ＳＵＰは、ある程度の可撓性を有するので、２つの半円柱部１１ａ，１１ｂは、切込み溝９を広げる向きに多少たわむことになる。したがって、補助部材ＳＵＰを本体金具ＰＴに組付けるには、例えば、図４（ａ）に示すように、本体金具ＰＴの長板部４の下端部を、補助部材ＳＵＰの切込溝９の底面に当接させた後、本体金具ＰＴを図４（ａ)の矢印方向に回転させて、補助部材ＳＵＰの略円柱突起１３を長板部４が乗り越えるように操作すれば良い。
【００１８】
すると、長板部４が略円柱突起１３を乗り越えたタイミングで、略円柱突起１３が嵌合穴８の中に突入するので、本体金具ＰＴと補助部材ＳＵＰとが一体化されることになる（図４（ｂ）参照）。なお、このような組み付け作業を簡略化させるには、例えば、図４（ｃ）に示すように、略円柱突起１３を正確な円柱形状にするのではなく、上部を円弧状に除去した形状に形成しておくのが好ましい。このような構成の場合には、長板部４は、容易に略円柱突起１３を乗り越えることが可能となる。
【００１９】
そして、このような完成状態では、長板部４と補助部材ＳＵＰの平面切断面は、その輪郭線が真円形となるので、土台や柱などに形成した円柱状の凹穴に挿入した場合に、正確に垂直姿勢をとることができる。
【００２０】
図５は、第２実施例の係る接合金具ＥＱ２を示す斜視図である。この実施例では、本体金具ＰＴ２の長板４には、上下取付け穴７ａ，７ｂに対応して２つの嵌合穴８ａ，８ｂが形成されている。
【００２１】
また、補助部材ＳＵＰ２は、第１実施例と大きく相違しており、円柱突起１３Ａ，１３Ｂを備える雄タイプの半円柱部３０ａと、円柱突起１３Ａ，１３Ｂを受け入れる円柱穴１４Ａ，１４Ｂを備える雌タイプの半円柱部３０ｂとで構成されている。なお、この実施例の場合、半円柱部３０ａ，３０ｂは、好適には合成樹脂やアルミニウムや鉄などで形成される。
【００２２】
この実施例では、円柱穴１４Ａ，１４Ｂは、円柱突起１３Ａ，１３Ｂよりやや小さく形成されており、長板部４を挟んで、円柱突起１３が円柱穴１４に圧入されることによって、雄タイプと雌タイプの半円柱部３０ａ，３０ｂが長板部４に一体化される（図５（ｂ）参照）。そして、この完成状態では、長板部４と補助部材ＳＵＰ２の平面切断面は、その輪郭線が円形となるので、土台や柱などに形成した円柱状の凹穴に挿入した場合に、正確に垂直姿勢をとることができる。
【００２３】
図６は、第３実施例に係る接合金具ＥＱ３を示す斜視図である。この実施例の場合、本体金具ＰＴ２は、第２実施例と同一構成であるが、補助部材ＳＵＰ３は、アルミニウムや鉄などで構成された、雄タイプの半円柱部のみで構成されている。そして、補助部材ＳＵＰ３の円柱突起１３Ａ，１３Ｂを長板７の嵌合穴７ａ，７ｂに挿入した後、本体金具と補助部材ＳＵＰ３とを固定した状態で、略円柱突起１３Ａ，１３Ｂの先端側を加締め加工によって半円柱状に形成する。
【００２４】
そのような加締め加工の結果、円柱突起１３Ａ，１３Ｂは、その先端面が太く変形することになり、補助部材ＳＵＰ３の基端側本体部の外周と連続する円弧面が形成される（図６（ｂ）（ｃ）参照）。したがって、このようにして完成した接合金具ＥＱ３は、建築現場において円柱穴に挿入した際に、正確に垂直姿勢をとることができ容易に位置決めができる。
【００２５】
なお、円柱状に形成する加締め加工に代えて、半球状に形成する加締め加工を採用しても良いのは勿論である。但し、この場合でも、半円柱状の本体部と、加締め加工によって形成される半球形状の中心は、ともに長板部４の厚さ方法の中心に位置し、且つその中心からの最大距離（半径）が一致している必要がある。
【００２６】
なお、第３実施例の補助部材ＳＵＰ３は、２つの円柱突起１３Ａ，１３Ｂを備えているが、例えば、図７に記載のように単一の円柱突起３１を備える補助部材ＳＵＰ４を２つ使用しても良い。また、この場合、２つの補助部材を同一方向から嵌合穴に挿入するのではなく、逆方向から挿入しても良い。この第４実施例の場合にも、円柱突起３１，３１は、半円柱状又は半球状に加締め加工される。
【００２７】
以上本発明の実施例について具体的に説明したが、具体的な記載内容は特に本発明を限定するものではなく、本発明の趣旨を逸脱することなく各種の変更が可能である。例えば、本体金具ＰＴや補助部材ＳＵＰに形成された取付け穴や嵌合穴の数や形状や配置位置は適宜に変更可能である。また、第１実施例及び第２実施例の接合金具の場合、本体金具ＰＴと補助部材ＳＵＰの組付け作業は、製造工場で行っても良いし、建築現場で行っても良い。また、本発明に係る接合金具は、建築構造物の凹穴に正しい姿勢で保持されるので、必ずしも、接合金具を垂直方向に取り付けることに限定されず、水平方向に取り付けて使用しても良い。
【００２８】
【発明の効果】
【図面の簡単な説明】
【図１】第１実施例に係る接合金具を説明する図面である。
【図２】第１実施例に係る補助部材を示す斜視図である。
【図３】第１実施例に係る接合金具の取り付け状態を説明する図面である。
【図４】第１実施例について、本体金具と補助部材との組み付け方法を説明する図面である。
【図５】第２実施例に係る補助部材を示す斜視図である。
【図６】第３実施例に係る補助部材を示す斜視図である。
【図７】第４実施例に係る補助部材を示す斜視図である。
【図８】従来技術を説明する図面である。
【符号の説明】
ＰＴ    本体金具
４      長板部
ＳＵＰ    補助部材
【図１】
0003709192.tif 000002
【図２】
0003709192.tif 000003
【図３】
0003709192.tif 000004
【図４】
0003709192.tif 000005
【図５】
0003709192.tif 000006
【図６】
0003709192.tif 000007
【図７】
0003709192.tif 000008
【図８】
0003709192.tif 000009